(57)【要約】      （修正有）【課題】シートパッドのカバーをシートの外部に設けられ、組合部材を前記シートパッドの中央における凹部に設けることにより、前記シートパッドのカバーを便利に組卸することができるシートパッドのカバーアセンブリーを提供する。【解決手段】バックパッドとシートパッド、又は回転式ベースを有するシートパッドに使用するシートパッドのカバーアセンブリーであって、少なくとも、中央部に凹部が形成されるシートパッド１１の外部に設置できるカバー１２と、前記シートパッドの中央部における凹部に設けられる組合部材１３を備え、前記カバーが前記組合部材によって前記シートパッドの中央部における凹部と完全に貼り合せることができることを特徴とする。【選択図】図４
0003169421.tif 000002
【実用新案登録請求の範囲】
【請求項１】
バックパッドとシートパッド、又は回転式ベースを有するシートパッドに使用するシートパッドのカバーアセンブリーであって、
少なくとも、中央部に凹部が形成されるシートパッドの外部に設置できるカバーと、前記シートパッドの中央部における凹部に設けられる組合部材を備え、前記カバーが前記組合部材によって前記シートパッドの中央部における凹部と完全に貼り合せることができることを特徴とするシートパッドのカバーアセンブリー。
【請求項２】
前記組合部材は、円形状のフレームであり、前記フレームの直径が前記シートパッドにおける凹部の内径より小さいことを特徴とする請求項１に記載のシートパッドのカバーアセンブリー。
【請求項３】
前記カバーは、前記シートパッドを内部へ設置するための開口部が形成され、前記開口部には、弾性力を有する紐、又は前記開口部を封閉できるロープが設けられることにより、前記開口部の開口さを調整することができることを特徴とする請求項１に記載のシートパッドのカバーアセンブリー。
【請求項４】
前記組合部材には、便利に取り外すための取手が設けられることを特徴とする請求項１に記載のシートパッドのカバーアセンブリー。
【請求項５】
前記シートパッドの外部は、平坦の表面又は不規則な表面であることを特徴とする請求項１に記載のシートパッドのカバーアセンブリー。
【考案の詳細な説明】
【技術分野】
【０００１】
本考案は、シートパッドのカバーアセンブリーであり、特にシートパッドのカバーをシートの外部に設けられ、組合部材を前記シートパッドの中央における凹部に設けることにより、前記シートパッドのカバーを便利に組卸することができるシートパッドのカバーアセンブリーに関するものである。
【背景技術】
【０００２】
従来の回転式シートは、シートパッドの中央に凹部が形成され、前記シートパッドが円盤状であるため、そして従来の回転式シートの全体が円形に表れる。
【０００３】
業者は、前記シートパッドが汚れ難いために、前記シートパッドにカバーが設けられる。また、前記カバーを前記シートパッドの表面に完全に貼り合わせるために、縫い方式で前記カバーが前記シートパッドに設けられるので、そのカバーが汚れしてしまうと、前記カバーの交換やクリーニングを行うことが難しい。また、このようなシートパッドのカバーは、よく使用されているものであるので、特に特許文献や非特許文献に記載されていない。
【考案の概要】
【考案が解決しようとする課題】
【０００４】
また、前記シートパッドのカバーは、縫い方式をしなくて前記シートパッドに設置すると、汚れた後に便利に交換やクリーニングをしやすいが、前記カバーの中央部が前記シートパッドの中央の凹部と完全に貼り合せることができない。
【０００５】
故に、如何に前記シートパッドの中央部と完全に貼り合わせると共に、便利に交換やクリーニングが行われるカバーを業界で積極的に開発しようとするものである。
【課題を解決するための手段】
【０００６】
本考案の目的は、シートパッドのカバーアセンブリーを提供するものであり、それは、バックパッドとシートパッド、又は回転式ベースを有するシートパッドに使用することができ、カバーを前記シートパッドに設けられ、更に組合部材によって前記カバーを前記シートパッドにおける中央の凹部に設置することにより、前記カバーの中央部が前記シートパッドの中央部に入り込まれ、前記カバーと前記シートパッドとを完全に貼り合せることができ、そして従来のように縫い方式でカバーを前記シートパッドに設置することにより、前記カバーを便利に交換やクリーニングすることができない問題を解決する。前記組合部材によれば、前記シートパッドのカバーを便利に組卸することができるので、前記カバーが汚れた場合、前記カバーを前記シートパッドから簡単に取り外して交換やクリーニングすることができる。
【０００７】
上記の目的を達成するために、本考案のシートパッドのカバーアセンブリーは、中央部に凹部が形成されるシートパッドの外部に設置できるカバーと、前記シートパッドの中央部における凹部に設けられる組合部材を備え、前記カバーが前記組合部材によって前記シートパッドの中央部における凹部と完全に貼り合せることができる。
【考案の効果】
【０００８】
本考案は上記の課題を解決するものであり、中央部に凹部が形成されるシートパッドの外部に設置できるカバーと、前記シートパッドの中央部における凹部に設けられる組合部材を備え、前記組合部材が前記凹部から離脱した後、前記シートパッドを前記カバーから外部へ取り出すことができ、そして前記カバーを交換又はクリーニングすることができる。
【図面の簡単な説明】
【０００９】
【図１】本考案に係るシートパッドのカバーアセンブリーの第１実施例を示す分解斜視図である。
【図２】本考案に係るシートパッドのカバーアセンブリーの第２実施例を示す分解斜視図である。
【図３】本考案に係るシートパッドのカバーアセンブリーの第３実施例を示す分解斜視図である。
【図４】本考案に係るシートパッドのカバーアセンブリーの使用状態を示す斜視図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１ないし図４に示すように、本考案に係わるシートパッドのカバーアセンブリーは、バックパッドとシートパッド、又は回転式ベースを有するシートパッドに使用することができ、中央部に凹部（１１１）が形成される前記シートパッド（１１）の外部に設置できるカバー（１２）と、前記シートパッド（１１）の中央部における凹部（１１１）に設けられる組合部材（１３）を備え、前記カバー（１２）が前記組合部材（１３）によって前記シートパッド（１１）の中央部における凹部（１１１）と完全に貼り合せることができる。
【００１２】
本実施例において、前記組合部材（１３）は、円形状のフレームであり、前記フレームの直径が前記シートパッド（１１）における凹部（１１１）の内径より小さい。
【００１３】
本実施例において、前記カバー（１２）は、前記シートパッド（１１）を内部へ設置するための開口部（１２１）が形成され、前記開口部（１２１）には、弾性力を有する紐（１２２）又は前記開口部（１２１）を封閉できるロープ（１２３）が設けられることにより、前記開口部（１２１）の開口さを調整することができる。
【００１４】
本実施例において、前記組合部材（１３）には、便利に取り外すための取手（１３１）が設けられる。
【００１５】
本実施例において、前記シートパッド（１１）の外部は、平坦の表面又は不規則な表面である。
【００１６】
本考案に係わるシートパッドのカバーアセンブリーを使用する前に、先ず前記カバー（１２）の開口部（１２１）を前記シートパッド（１１）の外部に向かい、前記カバー（１２）が前記シートパッド（１１）の外部に包覆され、且つ前記開口部（１２１）に設けられる弾性力を有する紐（１２２）又はロープ（１２３）（図１及び図２に示すように）によって前記開口部（１２１）の開口さを調整することにより、前記カバー（１２）を前記シートパッド（１１）に固着させ、更に、前記組合部材（１３）を前記カバー（１２）の中央部に下方へ押圧することにより、前記カバー（１２）の中央部を前記シートパッド（１１）の中央部における凹部（１１１）に貼り合わせる。前記組合部材（１３）は、フレームであるため、更に前記フレームの直径が前記シートパッド（１１）における凹部（１１１）の内径より小さいので、前記カバー（１２）が前記組合部材（１３）によって前記シートパッド（１１）の中央部における凹部に組合して固着することができる。
【００１７】
又、前記シートパッド（１１）の外部は、平坦の表面又は不規則な表面に製作すると、前記カバー（１２）が前記平坦の表面又は不規則な表面を完全に包覆することができ、前記組合部材（１３）を前記カバー（１２）の中央部から前記シートパッド（１１）の中央部における凹部（１１１）に組み合わせると、前記カバー（１２）が前記シートパッド（１１）の外部を完全に包覆することができる。
【００１８】
一方、前記組合部材（１３）を前記凹部（１１１）から取り外しようとする場合、先ず前記組合部材（１３）の取手（１３１）を引いて前記組合部材（１３）を上方へ引き上がることにより、前記組合部材（１３）を前記凹部（１１１）から離脱させ、前記組合部材（１３）が前記凹部（１１１）から離脱した後、前記カバー（１２）の開口部（１２１）を開かせ（この時の開口部（１２１）に弾性力を有する紐（１２２）が設けられる）、又は前記開口部（１２１）におけるロープ（１２３）を弛むことにより、前記シートパッド（１１）を前記カバー（１２）から外部へ取り出すことができ、そして前記カバー（１２）を交換又はクリーニングすることができる。
【００１９】
前記の説明から分かるように、本考案に係わるシートパッドのカバーアセンブリーは、前記組合部材（１３）を前記シートパッド（１１）の外部に包覆される前記カバー（１２）の中央部に設けることにより、前記シートパッド（１１）の中央部における凹部（１１１）内に設けられ、故に、従来のように縫い方式でカバー（１２）を前記シートパッド（１１）に設置することにより、前記カバー（１２）を便利に交換やクリーニングすることができない問題を解決する。また、前記組合部材（１３）を前記カバー（１２）から取り外した後、前記シートパッド（１１）を前記カバー（１２）から取り出すことにより、前記カバー（１２）を便利に交換又はクリーニングすることができる。
【産業上の利用可能性】
【００２０】
本考案は前記の構成を有するので、中央部に凹部が形成されるシートパッドの外部に設置できるカバーと、前記シートパッドの中央部における凹部に設けられる組合部材を備え、前記組合部材が前記凹部から離脱した後、前記シートパッドを前記カバーから外部へ取り出すことができ、そして前記カバーを交換又はクリーニングすることができる。
【符号の説明】
【００２１】
１１        シートパッド
１１１      凹部
１２        カバー
１２１      開口部
１２２      紐
１２３      ロープ
１３        組合部材
１３１      取手
【図１】
0003169421.tif 000003
【図２】
0003169421.tif 000004
【図３】
0003169421.tif 000005
【図４】
0003169421.tif 000006